(57)【要約】【課題】商用電源１が停止してゲート６Ｇにトリガが与えられてサイリスタ６がオン状態になった後、サイリスタ６がオフ状態に戻る前に商用電源１が再度作動すると、サイリスタ６の自己保持機能により、サイリスタ６はオン状態のままで保持されコンデンサ３が放電され続けてしまう。【解決手段】サイリスタ６のアノード６Ａ−カソード６Ｃ間をトランジスタ７を介して連結し、サイリスタ６が自己保持によりオン状態の時に商用電源１の作動が再開した際に、トランジスタ７をオンさせてサイリスタ６の自己保持を解除し、サイリスタ６をオフ状態に復帰させるようにした。【選択図】  図１
2008187803.tif 000002
【特許請求の範囲】
【請求項１】
交流電源を整流してコンデンサで平滑する電源回路に設けられ、このコンデンサにサイリスタを並列に接続し、交流電源が停止した際にサイリスタにトリガを与えてオンさせてコンデンサに充電されている電荷を放電させる放電回路において、サイリスタのアノード−カソード間をトランジスタを介して連結し、サイリスタが自己保持によりオン状態の時に交流電源が復帰した際に、トランジスタをオンさせてサイリスタの自己保持を解除し、サイリスタをオフ状態に復帰させる復帰手段を設けたことを特徴とする放電回路。
【発明の詳細な説明】
【技術分野】
【０００１】
本発明は、交流電源を整流してコンデンサで平滑する電源回路に設けられ、このコンデンサにサイリスタを並列に接続し、交流電源が停止した際にサイリスタにトリガを与えてオンさせてコンデンサに充電されている電荷を放電させる放電回路に関する。
【背景技術】
【０００２】
上述のような電源回路には平滑用のコンデンサが用いられており、整流後の脈動をこのコンデンサを用いて平滑化している。したがって、電源回路が作動中はコンデンサに電荷が充電される。そして、電源回路が停止してもコンデンサには電荷が充電されたままの状態になる。
【０００３】
コンデンサに電荷が充電されたままの状態であれば、たとえ電源回路が停止している状態でも電源回路に触れると感電するおそれがある。また、プラズマディスプレイパネルの駆動用の電源回路では、電源回路が停止した後、再度電源回路が作動するまでに平滑用のコンデンサを放電しておかなければならないという要請がある。
【０００４】
そこで、コンデンサを放電させるためのサイリスタを設け、電源回路が停止するとこのサイリスタのゲートにトリガを与えてサイリスタをオン状態にすることにより、サイリスタを通してコンデンサを放電させるようにしたものが知られている（例えば、特許文献１参照）。
【特許文献１】特開平８−１９４５４７号公報（図１）
【発明の開示】
【発明が解決しようとする課題】
【０００５】
サイリスタは自己保持機能を備えており、ゲートにトリガを与えるとアノード−カソード間がオン状態になり、その後トリガがなくなってもアノード−カソードに電流が流れ続けている限りオン状態を自己保持する。そして、上記の回路ではコンデンサの電荷が放電され、アノード−カソード間に電流が流れなくなると、オフ状態に戻る特性を有している。
【０００６】
このような機能を備えているため、電源回路が停止してゲートにトリガが与えられてサイリスタがオン状態になった後、オフ状態に戻る前に電源回路が再度作動すると、サイリスタの自己保持機能により、サイリスタはオン状態のままで保持されコンデンサが放電され続けてしまうという不具合が生じる。
【０００７】
そこで本発明は、上記の問題点に鑑み、サイリスタを用いてコンデンサを放電する放電回路において、サイリスタがオン状態のまま保持され続けることのない放電回路を提供することを課題とする。
【課題を解決するための手段】
【０００８】
上記課題を解決するために本発明による放電回路は、交流電源を整流してコンデンサで平滑する電源回路に設けられ、このコンデンサにサイリスタを並列に接続し、交流電源が停止した際にサイリスタにトリガを与えてオンさせてコンデンサに充電されている電荷を放電させる放電回路において、サイリスタのアノード−カソード間をトランジスタを介して連結し、サイリスタが自己保持によりオン状態の時に交流電源が復帰した際に、トランジスタをオンさせてサイリスタの自己保持を解除し、サイリスタをオフ状態に復帰させる復帰手段を設けたことを特徴とする。
【０００９】
上記構成によれば、サイリスタがオフ状態に戻る前に電源回路が作動しても、トランジスタがサイリスタをオフ状態に復帰させる。
【発明の効果】
【００１０】
以上の説明から明らかなように、本発明は、瞬間停電のように電源回路が作動を停止したあと、すぐに作動を再開した場合であっても確実にサイリスタをオフ状態に復帰させることができる。
【発明を実施するための最良の形態】
【００１１】
図１を参照して、１は交流電源である商用電源である。この商用電源１から供給される交流電力はブリッジ回路である整流部２で整流される。整流部２から出力される波形は脈動成分を有しているので、コンデンサ３によって平滑化される。なお、商用電源１の作動状態は商用電源検知回路４によって常にモニターされており、その作動状態は商用電源検知回路４からマイコン５に出力されている。
【００１２】
平滑用のコンデンサ３は商用電源１が作動している状態では常に充電されており、商用電源１が作動を停止しても、コンデンサ３には電荷が充電されたままの状態なる。したがって、商用電源１が作動を停止したからといって、不用意に回路を触ると感電して驚く場合が生じる。
【００１３】
そこで、コンデンサ３には抵抗を介してサイリスタ６を接続し、商用電源１の作動が停止したことをマイコン５が検知すると、サイリスタ６のゲート６Ｇにトリガを入力させ、アノード６Ａとカソード６Ｃとの間が連通するオン状態にすることにより、コンデンサ３の電荷を放電させる放電回路を設けた。なお、サイリスタ６はオン状態になるとトリガの入力が停止しても、アノード６Ａとカソード６Ｃとの間に電流が流れている間はオン状態を保持する自己保持機能を有している。そのため、トリガの入力が停止してもコンデンサ３の電荷が放電されるまでサイリスタ６はオン状態を保持し、放電が終了すると、アノード６Ａとカソード６Ｃとの間が導通しないオフ状態に戻る。したがって、再度商用電源１が作動を開始した時点ではサイリスタ６はオフ状態に戻っている。
【００１４】
但し、瞬時停電のように、商用電源１が作動を停止し、サイリスタ６がオン状態になった後、コンデンサ３の放電が途中の状態で商用電源１が作動を再開すると、商用電源１が再度作動を開始した後もサイリスタ６はオン状態のままになるという不具合が生じる。
【００１５】
そこで、サイリスタ６にトランジスタ７を接続し、商用電源１の停止から再度の作動開始までの間が所定時間より短く、サイリスタ６がオン状態のままになるおそれがあるとマイコン５が判断した場合に、トランジスタ７のベース７Ｂに所定幅のパルス信号を入力して、トランジスタ７のコレクタ７Ｃ−エミッタ７Ｅ間が導通するオン状態にした。トランジスタ７がオン状態になると、サイリスタ６のアノード６Ａとカソード６Ｃとが短絡され、サイリスタ６に電流が流れない状態になるので、サイリスタ６の自己保持が解除され、オフ状態に戻すことができる。
【００１６】
なお、本発明は上記した形態に限定されるものではなく、本発明の要旨を逸脱しない範囲内において種々の変更を加えてもかまわない。
【図面の簡単な説明】
【００１７】
【図１】本発明の一実施の形態の構成を示す図
【符号の説明】
【００１８】
１ 商用電源
２ 整流部
３ コンデンサ
４ 商用電源検知回路
５ マイコン
６ サイリスタ
６Ａ アノード
６Ｃ カソード
６Ｇ ゲート
７ トランジスタ
７Ｂ ベース
７Ｃ コレクタ
７Ｅ エミッタ
【図１】
2008187803.tif 000003